(57)【要約】【課題】指針に対する光の供給効率が良い指針式計器装置を提供する。【解決手段】指針式計器装置は、光を出射する第１の光源４０と、第１の光源４０が出射した光を反射する第１の反射面５３と、第１の反射面５３が反射した光を内部に導光し、導光した光にて発光する指針８０と、を備える。第１の反射面５３は、二つの焦点（Ｐ１、Ｐ３）のうちの一方の焦点（Ｐ１）を第１の光源４５とする楕円が二つの焦点（Ｐ１、Ｐ３）を通る直線を回転軸として回転することで得られる楕円体の一部を構成する曲面で形成されることで、第１の光源４０が出射した光を二つの焦点（Ｐ１，Ｐ３）のうちの他方の焦点に向かって反射する。他方の焦点（Ｐ３）は、第１の反射面５３が他方の焦点（Ｐ３）に向かって反射した前記光を指針８０に入射させる位置にある。【選択図】図２
2012251779.tif 000002
【特許請求の範囲】
【請求項１】
光を出射する光源と、
前記光源が出射した光を反射する反射面と、
前記反射面が反射した光を内部に導光し、導光した光にて発光する指針と、を備え、
前記反射面は、二つの焦点のうちの一方の焦点を前記光源とする楕円が前記二つの焦点を通る直線を回転軸として回転することで得られる楕円体の一部を構成する曲面で形成されることで、前記光源が出射した光を前記二つの焦点のうちの他方の焦点に向かって反射し、
前記他方の焦点は、前記反射面が前記他方の焦点に向かって反射した前記光を前記指針に入射させる位置にある、
ことを特徴とする指針式計器装置。
【請求項２】
前記他方の焦点は、前記指針の内部にある、
ことを特徴とする請求項１に記載の指針式計器装置。
【請求項３】
前記反射面が反射した前記光を受光する前記指針の受光面は、前記他方の焦点を中心とする球面状の形状である、
ことを特徴とする請求項１又は２に記載の指針式計器装置。
【請求項４】
前記指針は、所定の軸周りに回転可能であり、
前記他方の焦点は、前記所定の軸上に位置する、
ことを特徴とする請求項１乃至３のいずれか１項に記載の指針式計器装置。
【請求項５】
前記指針式計器装置を正面視した場合に、前記光源は、前記反射面が反射した前記光を受光する前記指針の受光面と重ならない位置に配置されている、
ことを特徴とする請求項１乃至４のいずれか１項に記載の指針式計器装置。
【発明の詳細な説明】
【技術分野】
【０００１】
本発明は、指針式計器装置に関する。
【背景技術】
【０００２】
この種の指針式計器装置は、例えば、所定の情報（例えば、車両の速度等）を、指針の変位によって、ユーザに報知するもの（例えば、車両用の速度計）であり、ユーザが所定の情報を視認しやすいように、指針を照明するように構成される。
【０００３】
このような指針式計器装置では、指針を明るく照明した方が、ユーザにとっては前記所定の情報を視認し易い。つまり、指針を照明する光源からの光を指針に供給する効率（光の供給効率）が高い方がよい。そこで、前記光の供給効率を上げるために、光源と指針との間に、指針の受光する部分側を向いた反射面を備え、その反射面が光源からの光を指針に向かって反射する指針式計器装置が知られている（特許文献１、特許文献２）。
【先行技術文献】
【特許文献】
【０００４】
【特許文献１】特開２００１−１８３１８３号公報
【特許文献２】特開２０１０−８５１８０号公報
【発明の概要】
【発明が解決しようとする課題】
【０００５】
しかし、特許文献１，２に記載の指針式計器装置では、前記反射面の形状によっては、指針に向かって光を効率よく反射することができず、指針に対する光の供給効率が悪い場合があった。
【０００６】
本発明は、上記実情に鑑みてなされたものであり、指針に対する光の供給効率が良い指針式計器装置を提供することを目的とする。
【課題を解決するための手段】
【０００７】
上記目的を達成するため、本発明に係る指針式計器装置は、
光を出射する光源と、
前記光源が出射した光を反射する反射面と、
前記反射面が反射した光を内部に導光し、導光した光にて発光する指針と、を備え、
前記反射面は、二つの焦点のうちの一方の焦点を前記光源とする楕円が前記二つの焦点を通る直線を回転軸として回転することで得られる楕円体の一部を構成する曲面で形成されることで、前記光源が出射した光を前記二つの焦点のうちの他方の焦点に向かって反射し、
前記他方の焦点は、前記反射面が前記他方の焦点に向かって反射した前記光を前記指針に入射させる位置にある、
ことを特徴とする。
【発明の効果】
【０００８】
本発明によれば、指針に対する光の供給効率を良くすることが出来る。
【図面の簡単な説明】
【０００９】
【図１】本発明の第１の実施形態に係る指針式計器装置の正面図である。
【図２】（ａ）は図１におけるＡ−Ａ断面図、（ｂ）は図２（ａ）におけるＢ−Ｂ断面図である。
【図３】図１の指針式計器装置における光の光路を説明するための詳細図である。
【図４】（ａ）は第２の実施形態に係る指針式計器装置の要部断面図、（ｂ）は第３の実施形態に係る指針式計器装置の要部断面図である。
【発明を実施するための形態】
【００１０】
（第１の実施形態）
本発明の第１の実施形態に係る指針式計器装置１００を、図１〜図３を参照して説明する。なお、以下の説明では、指針式計器装置１００を正面視した（つまり、ユーザが指針式計器装置１００を正面から見て車速を確認する場合の）ユーザの頭上方向を「上」、その逆方向を「下」といい、指針式計器装置１００を正面視するユーザの左方向を「左」といい、右方向を「右」という（図１参照）。また、図２が示すように、「表」とは、指針式計器装置１００を正面視した場合のユーザ側をいい、「裏」とは、前記の「表」の反対側をいう。
【００１１】
第１の実施形態に係る指針式計器装置１００は、例えば自動車、二輪車等の車両に搭載され、車両の速度である車速を指針の回転によって表示し、ユーザ（車両の運転者）に車速を報知する車両用計器装置（車速計）である。
【００１２】
指針式計器装置１００は、回路基板１０と、駆動本体３０と、第１の光源４０と、第２の光源４５と、支持部材５０と、表示板７０と、指針８０と、を備える。
【００１３】
回路基板１０は、硬質で絶縁性の平板状の部材である基材１２と、基材１２に設けられた第１の貫通孔１４と、図示しない制御部と、を備える。回路基板１０は、支持部材５０の裏側に位置する。基材１２は、例えば、ガラスエポキシ樹脂から形成される。第１の貫通孔１４は、基材１２の略中央に位置する。制御部は、ＣＰＵ（Ｃｅｎｔｒａｌ  Ｐｒｏｃｅｓｓｉｎｇ  Ｕｎｉｔ）等の各種電子部品を含む電子回路であり、指針式計器装置１００の外部装置、駆動本体３０、第１の光源４０、第２の光源４５などに接続されている。制御部は、ＥＣＵ（Ｅｎｇｉｎｅ  Ｃｏｎｔｒｏｌ  Ｕｎｉｔ）等の外部装置からの信号（車速データの信号等）に応じて駆動本体３０、第１の光源４０等を駆動・制御する。
【００１４】
駆動本体３０は、例えば、ステッピングモータ等から構成されている。駆動本体３０は、第１の貫通孔１４を通って、回路基板１０の裏側から表側に向かって延びる回転軸３５を有する。駆動本体３０は、制御部の制御のもとで、回転軸３５を回転させる。
【００１５】
第１の光源４０は、回路基板１０の表側の面に取り付けられている。第１の光源４０は、第１の貫通孔１４の近傍に位置する。第１の光源４０は、回路基板１０の表面の略法線方向（法線方向も含む）に向かって光を出射するように配置されている。第１の光源４０は、制御部の制御のもとで発光する。第１の光源４０は、トップビュー型のＬＥＤ（Ｌｉｇｈｔ  Ｅｍｉｔｔｉｎｇ  Ｄｉｏｄｅ）等から構成されている。
【００１６】
第２の光源４５は、回路基板１０の表側の面に取り付けられている。第２の光源４５は、第１の貫通孔１４の近傍かつ第１の貫通孔１４（回転軸３５）を挟んで第１の光源４０の反対側に位置する。第２の光源４５は、回路基板１０の表面の略法線方向（法線方向も含む）に向かって光を出射するように配置されている。第２の光源４５は、制御部の制御のもとで発光する。第２の光源４５は、トップビュー型のＬＥＤ等から構成されている。
【００１７】
表示板７０は、合成樹脂材料からなる透光性の基板７２と、基板７２に設けられた第２の貫通孔７４と、指標部７６と、を備える。基板７２は、例えば、０．５ミリ程度の合成樹脂製からなるシート状の樹脂基板、例えばポリカーボネート樹脂の基板７２から形成されている。このシート状の樹脂基板からなる表示板７０には、第２の貫通孔７４が、回路基板１０に設けられた第１の貫通孔１４に対応する位置で形成されている。指標部７６は、例えば、表示板７０における、目盛７７と文字７８（数字を含む）とを表す部分であり、基板７２上に形成されている。指標部７６は、例えば、基板７２に印刷、塗装等を施すことによって、基板７２上に形成される。例えば、指標部７６は、目盛７７と文字７８とが透光性を有し、その周囲が遮光性を有するように、形成されている（所謂抜き文字）。なお、指標部７６は、目盛７７と文字７８とが遮光性を有し、その周囲が透光性を有するように、形成されてもよい。指標部７６は、指針式計器装置１００を正面視した場合に、回転軸３５の周囲の一部を囲むように配置され、例えば、図１に示すように、略円弧状に形成されている。表示板７０は、支持部材５０の上面に配置されている。
【００１８】
指針８０は、指示部８１と、指針キャップ８２と、反射部８５と、を備える。指示部８１は、受光点８３と、受光面８６と、反射面８９と、を備える。指針８０は、回転軸３５の表側先端に圧入されることによって、回転軸３５に固定される。指針８０は、回転軸３５の回転により表示板７０上を回転し、指標部７６における、目盛７７を指示したり、目盛７７又は文字７８の間等を指示する。前記の制御部は、外部から供給される車速のデータに応じた回転角で、駆動本体３０の回転軸３５を回転させる。この回転に伴って指針８０は回転するので、指針８０は速度に応じた角度で回転して指標部７６を指示し、指針式計器装置１００は車両の速度を表示する。
【００１９】
指示部８１は、一端側に回転軸３５が取り付けられ、指針８０の回転の中心部（回転軸３５付近）から指標部７６に向かって延びる、指標部７６を他端側で指示する部分であり、指針８０の本体（主要部分）を構成する。指示部８１は、透明であり、合成樹脂等から形成される。なお、透明は、無色透明の他、有色透明も含む。指示部８１は、光を内部で導光する。指示部８１の裏面には、反射部８５が形成されている。反射部８５は、例えば、白色箔のホットスタンプが施されていることによって形成された白色着色層である。反射部８５は、反射部８５に到達した光（指示部８１の内部を進む光）を指示部８１の表側に向かって反射する。反射部８５は、このような機能を有するものであればよく、他の色の着色層や、指示部８１の裏面に直接形成された凹凸等であってもよい。なお、図２（ａ）では、導光される光の経路を表すため、指示部８１の断面を表すハッチングは省略されている。
【００２０】
指針キャップ８２は、遮光性を有し、合成樹脂等から形成されている。指針キャップ８２は、指針式計器装置１００を正面視した場合に、受光面８６と略重なるような位置に配置され、指示部８１の一部（指示部８１における回転軸３５が取り付けられる部分及びその近傍の部分）と、表示板７０の第２の貫通孔７４を覆うように指針８０の表側に取り付けられている。これにより、指針キャップ８２は、第１の光源４０や第２の光源４５から出射された光の、前記指示部８１の一部や第２の貫通孔７４から漏れる量を軽減することが出来る。
【００２１】
受光点８３は、図１や図３に示すように、指針８０内部の所定位置を表す仮想的な点である。詳細は後述するが、指針８０に供給される光の一部が収束する点である。第１の実施形態における受光点８３は、回転軸３５を表方向に延ばした延長線上に位置するように設定されている。つまり、受光点８３は、指針８０の回転中心の軸線上に位置するように設定されている。受光点８３は、指示部８１内部に位置する。受光点８３に到達した光は、指示部８１によって指示部８１内部を進む（導光される）。
【００２２】
受光面８６は、受光点８３を中心とする半球の少なくとも一部を構成する曲面（球面状の形状）で形成されている。受光面８６の凸方向は、裏側（第１の光源４０、第２の光源４５側）を向いている。第１の光源４０及び第２の光源４５から出射した光は、受光面８６から指示部８１に入射する。
【００２３】
反射面８９は、指示部８１の回転の中心辺り（つまり、前記一端部側）かつ指示部８１の表側の内面によって構成されている（図２（ａ）参照）。反射面８９は、受光面８６等の形状に合わせて形成されている。反射面８９は、指針式計器装置１００を正面視した場合に、受光面８６と略重なるように形成され、受光面８６から指示部８１内部に入射した光を反射部８５等に向かって反射する。
【００２４】
支持部材５０は、図２（ｂ）に示すように、反射部材５１を備える。支持部材５０は、合成樹脂等によって枠状のケーシングとして一体に成形されている。支持部材５０には、駆動本体３０が取り付けられた回路基板１０が裏側から取り付けられ、表示板７０が表側から取り付けられる。
【００２５】
反射部材５１は、第１の反射部材５１ａと、第２の反射部材５１ｂと、を備える。反射部材５１は、支持部材５０における回転軸３５を取り囲む略筒状の部分であり、支持部材５０の略中央に位置する。略筒状の反射部材５１の中には、回転軸３５が位置する。
【００２６】
第１の反射部材５１ａは、第１の反射面５３（例えば、白色系又は金属調の面であり、塗装等の適宜の方法で着色された面）を備える。第１の反射部材５１ａは、第１の光源４０を左表側から覆うように設けられている。第１の反射部材５１ａは、第１の光源４０を左表側から覆うように湾曲した形状、つまり、球殻状になっている。
【００２７】
第１の反射面５３は、筒状の反射部材５１の内壁面を構成している。つまり、第１の反射面５３は、第１の反射部材５１ａにおいて、第１の光源４０（回転軸３５側）を向く面である。第１の反射面５３は、第１の光源４０と受光点８３とをそれぞれ焦点Ｐ１、Ｐ３とする楕円を、この楕円の長軸周りに（つまり、焦点Ｐ１、Ｐ３を通る直線を軸にして）回転させたことで得られる回転楕円体の一部を構成する曲面で形成される。なお、本実施形態では、焦点Ｐ１は、第１の光源４０の光の出射面の中心点としているが、焦点Ｐ１は、第１の光源４０の位置として捉えることができる点であればよく、第１の光源４０内の１点等の適宜の位置の点であってもよい。第１の反射面５３は、第１の光源４０が出射した光を受光点８３に向かって反射する。
【００２８】
第２の反射部材５１ｂは、第２の反射面５４（例えば、白色系又は金属調の面であり、塗装等の適宜の方法で着色された面）を備える。第２の反射部材５１ｂは、第２の光源４５を右表側から覆うように設けられている。第２の反射部材５１ｂは、第２の光源４５を右表側から覆うように湾曲した形状、つまり、球殻状になっている。
【００２９】
第２の反射面５４は、筒状の反射部材５１の内壁面を構成している。つまり、第２の反射面５４は、第２の反射部材５１ｂにおいて、第２の光源４５（回転軸３５側）を向く面である。第２の反射面５４は、第２の光源４５と受光点８３とをそれぞれ焦点Ｐ２、Ｐ３とする楕円を、この楕円の長軸周りに（つまり、焦点Ｐ２、Ｐ３を通る直線を軸にして）回転させたことで得られる回転楕円体の一部を構成する曲面で形成される。なお、本実施形態では、焦点Ｐ２は、第２の光源４５の光の出射面の中心点としているが、焦点Ｐ２は、第２の光源４５の位置として捉えることができる点であればよく、第２の光源４５内の１点等の適宜の位置の点であってもよい。第２の反射面５４は、第２の光源４５が出射した光を受光点８３に向かって反射する。
【００３０】
第１の光源４０からの光及び第２の光源４５からの光は、それぞれ、第１の反射面５３と第２の反射面５４とで反射され、指示部８１に向かう。このため、第１の反射面５３と第２の反射面５４とで囲まれた空間は、第１の光源４０からの光及び第２の光源４５からの光を指示部８１に案内する光案内路６０を構成する。
【００３１】
なお、反射部材５１の断面は、左右から略円環状の形状を接続させた左右対称な形状（略８の字状）になっている（図２（ｂ）参照）。
【００３２】
次に、第１の実施形態に係る車両用計器装置において、第１の光源４０から出射された光が進む経路について詳しく説明する。なお、図２（ａ）、図３では、光が進む代表的な様子を破線矢印又は折れ線で示している。また、第２の光源４５からの光の動きが第１の光源４０からの光の動きと類似している（左右対称になっている）ので、第２の光源４５から出射した光の経路の説明は省略する。第２の光源４５から出射した光についても、下記と同様のことが言える。
【００３３】
第１の光源４０から出射した光の一部は、第１の反射面５３に向かって進み、他の一部は、受光面８６に向かって進む（図２（ａ）、図３参照）。第１の反射面５３は、受光点８３に向かって光を反射する。このとき、第１の反射面５３が反射した光は、受光面８６を通って受光点８３に到達する。受光面８６に到達した光（第１の反射面５３を経由した光も含む）は、指針８０の指示部８１に設けられた反射面８９に到達したのちに、反射部８５に向かって反射する。反射部８５に到達した光は、反射部８５で反射し、指示部８１の外部（特に、指示部８１の表側）に向かって進み、反射部８５から出射（発光）する。要するに、指示部８１が第１の光源４０からの光を導光することにより、指針８０は発光する。
【００３４】
次に、第１の反射面５３の形状について考える。第１の反射面５３が上述のような形状（第１の反射面５３が回転楕円体の曲面の一部）でない場合には、指針８０に対して光（第１の光源４０からの光）を効率的に供給しない。例えば、第１の反射面５３が光を繰り返し反射（乱反射）しながら指針８０に導光するような形状（第１の光源４０を取り巻くような筒状等）では、光を反射する度に第１の反射面５３が光を吸収するなどして、指針８０に対する光の供給量が反射を繰り返した分だけ減少する。また、第１の反射面５３が受光面８６に略対向した平面状等の形状である場合では、第１の反射面５３が受光面８６に向かって反射する光の量が少なくなってしまう。また従来の構成からなる第１の反射面５３は、入射した光の入射角または位置によって決まる角度で入射光を反射するので、前記のように第１の反射面５３が受光面８６に略対向した平面状等の形状である場合、第１の光源４０からの光を指針８０（受光面８６）以外の方向にも多く反射してしまうからである。これらの理由から、第１の反射面５３の形状によっては、指針８０に対して光の供給量が減少するので、指針８０は発光しても暗い場合があった。
【００３５】
そこで、第１の実施形態では、上記で例示されるような、反射面の形状による光量の減少を抑えるために、第１の反射面５３を回転楕円体の曲面の一部で構成する（図３参照）。楕円の性質（楕円の内側が反射面だとして、一方の焦点Ｐ１からの光は、一度だけ反射面で反射し、もう一方の焦点Ｐ３を通ること）により、第１の光源４０（一方の焦点Ｐ１）からの光は、第１の反射面５３で反射したのちに受光点８３（もう一方の焦点Ｐ３）の方向に向かって進む。よって、第１の反射面５３からの光は、受光点８３以外の方向には反射せず、受光点８３に向かって反射し、効率良く指針８０（指示部８１の内部）に供給される。特に、回転楕円体の曲面の一部であることは、指針８０に光が供給される（指針８０の内部の受光点８３に届く）まで、第１の光源４０からの光は一回の反射で済むということである。つまり、第１の反射面５３による反射の回数を抑えながら、第１の光源４０からの光が指針８０の内部に到達させる（受光面８６を通過して、受光点８３に到達する）ことができる。よって、第１の反射面５３は反射面上での光の吸収を抑えながら指針８０に光を効率よく供給する。以上、第１の反射面５３が回転楕円体の曲面の一部ではない場合にくらべて、第１の実施形態では、指針８０に供給される光の量が増え（つまり、光源からの光の供給効率が良くなっており）、指針８０が明るく発光する。
【００３６】
また、上記のように、第１の反射面５３が上述のような形状（第１の反射面５３が回転楕円体の曲面の一部）でない従来の場合、第１の光源４０からの光の供給効率を良くするため、第１の光源４０が出射する光が指針８０に直接到達できるように、受光面８６が第１の光源４０の上方に来るように（つまり、指針式計器装置１００を正面視した場合に、両者が重なるように）、第１の光源４０の位置や、指針８０の形状等が決定されていた。しかし、上記のように、第１の実施形態では、第１の反射面５３の形状によって、第１の反射面５３で反射した光は、効率良く受光面８６に到達するので、受光面８６が第１の光源４０の上方に来るように（つまり、指針式計器装置１００を正面視した場合に、両者が重なるように）、第１の光源４０の位置や、指針８０の形状等が決定される必要がない。このため、指針式計器装置１００を正面視した場合に、受光面８６が第１の光源４０と重ならなくても、指針８０に供給される光の供給効率が良いので、受光面８６を小さくすることができる。指針キャップ８２が受光面８６等を表側から覆うことを考慮すれば、受光面８６を小さくすることで、指針キャップ８２も小さくできる。これによって、指針８０の、指針キャップ８２の部分（受光面８３の部分）、つまり、回転中心の部分を小さくすることができ、指針８０の見栄えや指針式計器装置１００の見栄えをよくすることができる。
【００３７】
また、受光面８６が受光点８３を中心とした球面状の形状になっているので、受光点８３に向かう光は、球面状の受光面８６で光路の変更がほとんどないまま指針８０の内側へと導光案内される。なぜなら、受光点８３に向かう光と受光面８６の交わる交点における接線と受光点８３に向かう光の方向とは垂直なので、受光点８３に向かう光は受光面８６で屈折や全反射が従来に比べて抑えられるため受光点８３に向かって進みやすい。したがって、受光面８６が球面状の形状でないときに比べ、受光点８３に向かう光は受光点８３を実際に通過しやすいので、指針８０に供給される光が増え、指針８０は明るく発光する。
【００３８】
また、第１の実施形態では、受光点８３が、指針８０が回転するときの回転の中心軸上に位置しているので、指針８０が回転したとしても、指針８０を基準とした指針８０内部における受光点８３の相対的な位置は移動しない。このため、指針８０の回転によって、第１の反射面５３で反射した光が集まる位置が変化することもないので、指針８０の回転によらず、第１の反射面５３で反射した光を指針８０に対して安定して供給できる。また、受光面８６が受光点８３を中心とした球面状の形状になっていることで、受光面８６における、第１の反射面５３で反射した光を受光する部位の形状は、指針８０の回転角によらず一定なので、受光点８３が前記中心軸上に位置していることと合わせると、第１の反射面５３で反射した光は、指針８０の回転によらず、安定した量で指針８０内部に入射できる。このため、指針８０が回転したとしても、指針８０の発光の明るさに大きな変化が生じないので、指針式計器装置１００の見栄えもよくなる。
【００３９】
（第２の実施形態）
次に、本発明の第２の実施形態に係る指針式計器装置について説明する。図４（ａ）は、第２の実施形態にかかる指針式計器装置の要部断面図である。第２の実施形態に係る指針式計器装置を説明するにあたり、第１の実施形態と異なる点を中心に説明するとともに、同様の部材については同じ符号を付して説明する。なお、図４（ａ）において、指示部８１の断面を表すハッチングは省略されている（図４（ｂ）も同様）。
【００４０】
第１の実施形態では、光案内路６０が空間であったが、第２の実施形態では、光案内路６０が第３の反射部材９０によって構成されている。
【００４１】
第３の反射部材９０は、図４（ａ）に示すように、第１の実施形態における反射部材５１の内部に位置するように構成されている。つまり、第３の反射部材９０は、第１の実施形態における光案内路６０にあたる空間を充填するように形成される。第３の反射部材９０は、反射部材５１（第１の反射部材５１ａ及び第２の反射部材５１ｂ）の回転軸（第１の光源４０及び第２の光源４５）側に位置し、反射部材５１の内壁面（特に、第１の反射面５３及び第２の反射面５４）の形状に倣って形成されたものであり、透明である。第３の反射部材９０は、回転軸３５を囲む、筒状の部材であり、合成樹脂材料にて形成されている。
【００４２】
第３の反射部材９０には、第１の光源４０及び第２の光源４５の位置に対応する箇所（第１の光源４０及び第２の光源４５と対向する箇所）に受光部９１が設けられるとともに、指針８０の受光面８６側に対向する位置に射出部９２が設けられている。
【００４３】
また第３の反射部材９０の外周面は、第１の実施形態における反射部材５１の第１の反射面５３及び第２の反射面５４と同形状の彎曲形状の面（上記楕円体の一部の面）を有する。この面は、第３の反射部材９０内に導光された光を反射する反射面９３である。なお、光の反射率を上げるために、この外周面に、例えば、金属膜層等からなる反射層を形成し、この反射層の面を反射面９３としてもよい。この反射層は、ホットスタンプ等で形成される。
【００４４】
このように構成された第２の実施形態においては、第１の光源４０及び第２の光源４５からの光が受光部９１を介して導かれて入光し、第３の反射部材９０の媒質内に入光した光が反射面９３で反射されて射出部９２へと導かれ、次いで指針８０の受光面８６へと案内される。反射面９３での反射は、適宜、反射面９３と第１の反射面５３や第２の反射面５４との協働によって行われる。
【００４５】
指針８０の受光面８６に入光した光は受光点８３（焦点Ｐ３）へと導かれ、反射面８９を介して指示部８１に設けられた反射部８５へと導くことにより、指針８０の指示部８１が照明表示される（発光する）。
【００４６】
（第３の実施形態）
次に、本発明の第３の実施形態に係る指針式計器装置について説明する。図４（ｂ）は、第３の実施形態にかかる指針式計器装置の要部断面図である。第３の実施形態に係る指針式計器装置を説明するにあたり、第１の実施形態等と異なる点を中心に説明するとともに、同様の部材については同じ符号を付して説明する。
【００４７】
第３の実施形態では、反射部材５１（第１の反射部材５１ａ及び第２の反射部材５１ｂ）が円筒形状になっており、上記のような形状の反射面を有さない。第３の反射部材９０の形状は、第２の実施形態と同様である。第１の光源４０及び第２の光源４５からの光は、受光部９１を介して導かれて入光し、第３の反射部材９０の媒質内に入光した光が反射面９３で反射されて射出部９２へと導かれ、次いで指針８０の受光面８６へと案内される。本実施形態では、第２の実施形態とは異なり、光が反射面９３を主体として反射される。これによって、反射部材５１（なお、この部材は、第１の実施形態における反射部材の機能を有していないので、筒状部材として捉えることもできる。）の形状を簡単にできる。
【００４８】
（変形例）
本発明は、上記実施形態及び変形例の記載に限定されず、他の変形等が適宜可能である。例えば、上記では、本発明に係る指針式計器装置を車両用計器としたが、本発明はこれに限られない。他の指針式計器装置、例えば、航空用計器、船舶用計器等にも用いることが可能である。また、受光点８３は、指針８０内部（特に、指示部８１内部）の所定点であれば良く、上記中心軸上になくても、一定の効果は得られる。さらに、受光面８６に接している位置、または、受光面８６の近傍の位置、反射部材５１から見て指針８０の背後の位置等の、反射面で焦点Ｐ３に向かって反射した光を指針８０に入射させる位置に、受光点８３（つまり、焦点Ｐ３）があれば、指針８０に対する光の供給効率は、反射面が上述のような形状（第１の反射面５３等が回転楕円体の曲面の一部）でない従来の場合より高い。さらに、指針８０を照明する光源の数は、任意に変更可能である。例えば、指針の指示角が狭角であった場合では、光源の数は１つでも良く、その場合にあっては第１の反射部材５１ａ等と同様の部材を１つ設ければよい。また指針の指示する角度が広い角度であった場合などは２個以上設けることにより均一で明るい指針の照明を行うことができる。その場合にあっては、第１の反射部材５１ａ等と同様の部材を光源の個数に合わせて組み合わせればよく、反射面の面積なども光源と指針との位置関係などによって適宜設定すれば良い。
【符号の説明】
【００４９】
１００        指針式計器装置
１０          回路基板
１２          基材
１４          第１の貫通孔
３０          駆動本体
３５          回転軸
４０          第１の光源
４５          第２の光源
５０          支持部材
５１          反射部材
５１ａ        第１の反射部材
５１ｂ        第２の反射部材
５３          第１の反射面
５４          第２の反射面
６０          光案内路
７０          表示板
７２          基板
７４          第２の貫通孔
７６          指標部
７７          目盛
７８          文字
８０          指針
８１          指示部
８２          指針キャップ
８３          受光点
８５          反射部
８６          受光面
８９          反射面
９０          第３の反射部材
９１          受光部
９２          射出部
９３          反射面
Ｐ１          焦点
Ｐ２          焦点
Ｐ３          焦点
【図１】
2012251779.tif 000003
【図２】
2012251779.tif 000004
【図３】
2012251779.tif 000005
【図４】
2012251779.tif 000006